(57)【要約】      （修正有）【課題】使いやすいプルバックルを提供する。【解決手段】プルバックルは、バックル本体１と、留め具２と、第１の弾性部材３と、ボタンアセンブリを含む。バックル本体に装着キャビティ１１が形成され、バックル本体に装着キャビティと連通する挿入口が設けられる。留め具の一端に接続部が設けられ、接続部は挿入口を介して装着キャビティ内に挿入する。第１の弾性部材は、装着キャビティの挿入口と正対する下壁面にストッピングされ、接続部が装着キャビティに挿入されると、第１の弾性部材は接続部に当接される。ボタンアセンブリは、接続部を係止して留め具を装着キャビティ内にロックするか、又はボタンアセンブリを押圧して接続部を解放し、第１の弾性部材は、接続部を装着キャビティから弾き出し、留め具を解放する。当該プルバックルはボタンアセンブリを押すことによりロックが解除され、第１の弾性部材が留め具をバックル本体から弾き出し、使いやすいという利点がある。【選択図】図１
0003226131.tif 000002
【実用新案登録請求の範囲】
【請求項１】
プルバックルであって、バックル本体と、留め具を含み、
前記バックル本体に装着キャビティが形成され、前記バックル本体に前記装着キャビティと連通する挿入口が設けられ、
前記留め具の一端に接続部が設けられ、前記接続部は前記挿入口を介して前記装着キャビティ内に挿入し、
当該プルバックルは、さらに、第１の弾性部材と、ボタンアセンブリを含み、
前記第１の弾性部材は、前記装着キャビティの前記挿入口と正対する下壁面にストッピングされ、前記接続部が前記装着キャビティに挿入されると、前記第１の弾性部材は前記接続部に当接され、
前記ボタンアセンブリは、前記接続部を係止して前記留め具を前記装着キャビティ内にロックするか、又は前記ボタンアセンブリを押圧して前記接続部を解放し、前記第１の弾性部材は、前記接続部を前記装着キャビティから弾き出し、前記留め具を解放すること、を特徴とするプルバックル。
【請求項２】
前記ボタンアセンブリは、ボタンと、ストッパと、第２の弾性部材を含み、前記第２の弾性部材は、前記装着キャビティの前記挿入口側にある側壁面に限定され、前記ストッパは、前記第２の弾性部材に当接して前記装着キャビティ内に回転可能に設けられ、前記ボタンは前記バックル本体に回転可能に限定して前記ストッパを駆動して回転させ、前記接続部が前記装着キャビティに挿入されると、前記接続部は前記第１の弾性部材を押出して圧縮させ、前記第２の弾性部材は前記ストッパを駆動して前記接続部の側部に係合することで、前記留め具を前記バックル本体に固定的に接続させ、前記ボタンを押すと、前記ボタンが前記ストッパを駆動して回転させて前記接続部の側部から分離させ、前記第１の弾性部材がリセットして前記接続部を前記装着キャビティから弾き出し、前記留め具を前記バックル本体から分離させること、を特徴とする請求項１に記載のプルバックル。
【請求項３】
前記装着キャビティ内に回転軸が設けられ、前記ストッパは当該回転軸に回転可能に設けられ、前記ストッパは、前記ボタンに当接する受力部と、前記第２の弾性部材に係合する係合部を含むこと、を特徴とする請求項２に記載のプルバックル。
【請求項４】
前記係合部の外側面に第１のストッパ溝が設けられ、前記装着キャビティの側壁面に第２のストッパ溝が設けられ、前記第２の弾性部材の両端は前記第１のストッパ溝と前記第２のストッパ溝内にそれぞれストッピングされること、を特徴とする請求項３に記載のプルバックル。
【請求項５】
前記接続部の外周面に係合凹溝が設けられ、前記接続部が前記装着キャビティに挿入されると、前記第２の弾性部材は、前記係合部を駆動して前記係合凹溝に挿入し、前記ボタンを押すと、前記ボタンが前記受力部を介して前記係合部を駆動して回転させて前記係合凹溝から離れること、を特徴とする請求項３に記載のプルバックル。
【請求項６】
前記ボタンアセンブリの数は２つであり、前記ボタンアセンブリは、前記バックル本体に対称に設けられること、を特徴とする請求項１−５のいずれか１項に記載のプルバックル。
【請求項７】
前記接続部の末端にテーパ面が設けられ、前記ストッパの頂面に斜面が設けられ、前記接続部が前記装着キャビティに挿入されると、前記テーパ面は、前記斜面と嵌合すること、を特徴とする請求項２−５のいずれか１項に記載のプルバックル。
【請求項８】
前記バックル本体に前記ボタンに対応するボタン孔が設けられ、前記ボタンは前記ボタン孔から突出し、前記ボタンの周縁にガイド突起が設けられ、前記装着キャビティの内壁面にガイド溝が固設され、前記ガイド突起は、前記ガイド溝内に案内されて前記装着キャビティの内壁面にストッピングされること、を特徴とする請求項２−５のいずれか１項に記載のプルバックル。
【請求項９】
前記装着キャビティの上部にストッパ板が２枚設けられ、２枚の前記ストッパ板は前記挿入口の両側にそれぞれ位置し、２つの前記ストッパの上面にストッパ切り欠きが設けられ、前記ストッパ切り欠きは前記ストッパ板と嵌合すること、を特徴とする請求項２−５のいずれか１項に記載のプルバックル。
【請求項１０】
前記装着キャビティ内に仕切板が設けられ、前記仕切板により前記装着キャビティを上部キャビティと下部キャビティに分割し、前記挿入口は前記上部キャビティの天井壁に設けられ、前記接続部は前記挿入口を介して前記上部キャビティ内に突出し、前記第１の弾性部材の底部は前記下部キャビティの底壁に固定され、前記仕切板に貫通孔が設けられ、前記貫通孔と前記挿入口が同軸に設けられ、前記第１の弾性部材の先端部は前記貫通孔を貫通すること、を特徴とする請求項１−５のいずれか１項に記載のプルバックル。
【考案の詳細な説明】
【技術分野】
【０００１】
本考案は、接続バックルの技術分野に属し、特に、プルバックルに関する。
【背景技術】
【０００２】
プルバックルは、ペットの牽引ロープに適用されるプルバックルなどの接続部材である。このプルバックルは、牽引ロープと首輪を接続するためのものである。従来のプルバックルは、ロック解除ボタンを押した後、ユーザーがバックル本体と留め具を引き離して別々に分離させる必要があった。そのようなプルバックルは使いにくいという欠点がある。
【考案の概要】
【考案が解決しようとする課題】
【０００３】
本考案は、従来技術におけるプルバックルのロック解除ボタンを押した後、ユーザーがバックル本体と留め具を引き離す技術的課題を解決するためのプルバックルを提供することを目的とする。
【課題を解決するための手段】
【０００４】
上記目的を達成するために、本考案が提供するプルバックルは、バックル本体と、留め具を含み、
前記バックル本体に装着キャビティが形成され、前記バックル本体に前記装着キャビティと連通する挿入口が設けられ、
前記留め具の一端に接続部が設けられ、前記接続部は前記挿入口を介して前記装着キャビティ内に挿入し、
当該プルバックルは、さらに、第１の弾性部材と、ボタンアセンブリを含み、
前記第１の弾性部材は、前記装着キャビティの前記挿入口と正対する下壁面にストッピングされ、前記接続部が前記装着キャビティに挿入されると、前記第１の弾性部材は前記接続部に当接され、
前記ボタンアセンブリは、前記接続部を係止して前記留め具を前記装着キャビティ内にロックするか、又は前記ボタンアセンブリを押圧して前記接続部を解放し、前記第１の弾性部材は、前記接続部を前記装着キャビティから弾き出し、前記留め具を解放する。
【０００５】
好ましくは、前記ボタンアセンブリは、ボタンと、ストッパと、第２の弾性部材を含み、前記第２の弾性部材は、前記装着キャビティの前記挿入口側にある側壁面に限定され、前記ストッパは、前記第２の弾性部材に当接して前記装着キャビティ内に回転可能に設けられ、前記ボタンは前記ボタン本体に回転可能に限定して前記ストッパを駆動して回転させ、前記接続部が前記装着キャビティに挿入されると、前記接続部は前記第１の弾性部材を押出して圧縮させ、前記第２の弾性部材は前記ストッパを駆動して前記接続部の側部に係合することで、前記留め具を前記バックル本体に固定的に接続させ、前記ボタンを押すと、前記ボタンが前記ストッパを駆動して回転させて前記接続部の側部から分離させ、前記第１の弾性部材がリセットして前記接続部を前記装着キャビティから弾き出し、前記留め具を前記バックル本体から分離させる。
【０００６】
好ましくは、前記装着キャビティ内に回転軸が設けられ、前記ストッパは当該回転軸に回転可能に設けられ、前記ストッパは、前記ボタンに当接する受力部と、前記第２の弾性部材に係合する係合部を含む。
【０００７】
好ましくは、前記係合部の外側面に第１のストッパ溝が設けられ、前記装着キャビティの側壁面に第２のストッパ溝が設けられ、前記第２の弾性部材の両端は前記第１のストッパ溝と前記第２のストッパ溝内にそれぞれストッピングされる。
【０００８】
好ましくは、前記接続部の外周面に係合凹溝が設けられ、前記接続部が前記装着キャビティに挿入されると、前記第２の弾性部材は、前記係合部を駆動して前記係合凹溝に挿入し、前記ボタンを押すと、前記ボタンが前記受力部を介して前記係合部を駆動して回転させて前記係合凹溝から離れる。
【０００９】
好ましくは、前記ボタンアセンブリの数は２つであり、前記ボタンアセンブリは、前記バックル本体に対称に設けられる。
【００１０】
好ましくは、前記接続部の末端にテーパ面が設けられ、前記ストッパの頂面に斜面が設けられ、前記接続部が前記装着キャビティに挿入されると、前記テーパ面は、前記斜面と嵌合する。
【００１１】
好ましくは、前記バックル本体に前記ボタンに対応するボタン孔が設けられ、前記ボタンは前記ボタン孔から突出し、前記ボタンの周縁にガイド突起が設けられ、前記装着キャビティの内壁面にガイド溝が固設され、前記ガイド突起は、前記ガイド溝内に案内されて前記装着キャビティの内壁面にストッピングされる。
【００１２】
好ましくは、前記装着キャビティの上部にストッパ板が２枚設けられ、２枚の前記ストッパ板は前記挿入口の両側にそれぞれ位置し、２つの前記ストッパの上面にストッパ切り欠きが設けられ、前記ストッパ切り欠きは前記ストッパ板と嵌合する。
【００１３】
好ましくは、前記装着キャビティ内に仕切板が設けられ、前記仕切板により前記装着キャビティを上部キャビティと下部キャビティに分割し、前記挿入口は前記上部キャビティの天井壁に設けられ、前記接続部は前記挿入口を介して前記上部キャビティ内に突出し、前記第１の弾性部材の底部は前記下部キャビティの底壁に固定され、前記仕切板に貫通孔が設けられ、前記貫通孔と前記挿入口が同軸に設けられ、前記第１の弾性部材の先端部は前記貫通孔を貫通する。
【考案の効果】
【００１４】
本考案の実施例が提供するプルバックルにおける上記１つ又は複数の技術的解決手段は、当該プルバックルの使用の際に、接続部が装着キャビティに挿入されると、第１の弾性部材が接続部に当接し、ボタンアセンブリが接続部を係止して留め具を前記装着キャビティ内にロックするか、又は留め具とバックル本体が分離されると、ボタンアセンブリを押圧して接続部を解放し、第１の弾性部材が接続部を装着キャビティから弾き出し、留め具を解放するという技術的効果の少なくとも１つを有する。プルバックルはボタンアセンブリを押すことによりロックが解除され、第１の弾性部材が留め具をバックル本体から弾き出し、使いやすいという利点がある。
【図面の簡単な説明】
【００１５】
本考案の実施例における技術的解決手段をより明確に説明するために、以下、実施例又は従来技術の記述に必要な図面を簡単に説明するが、当然ながら、以下の記述における図面は本考案のいくつかの実施例に過ぎず、当業者であれば、創造的な労力を要することなく、これらの図面に基づいて他の図面に想到し得る。
【図１】本考案の実施例が提供するプルバックルの縦断面図である。
【図２】本考案の実施例が提供するプルバックルの他の縦断面図である。
【図３】本考案の実施例が提供するプルバックルの横断面図である。
【図４】本考案の実施例が提供するプルバックルの他の状態の横断面図である。
【図５】本考案の実施例が提供するプルバックルの分解図である。
【図６】本考案の実施例が提供するプルバックルの他の分解図である。
【図７】本考案の実施例が提供するストッパの概略構造図である。
【図８】本考案の実施例が提供する第１の筐体の概略構造図である。
【図９】本考案の実施例が提供する第２の筐体の概略構造図である。
【考案を実施するための形態】
【００１６】
以下、本考案の実施例を詳細に説明するが、前記実施例の例は図面に示されており、同一又は類似の参照番号は、同一又は類似の要素、または同一又は類似の機能を有する要素を指す。以下、図面を参照して記述する実施例は、例示的なものであり、本考案の実施例を説明するためのものであり、本考案を限定するものではないと解釈すべきである。
【００１７】
図１〜図９に示すように、本考案が提供するプルバックルは、バックル本体１と、留め具２と、第１の弾性部材３と、ボタンアセンブリ４，４’を含む。
【００１８】
前記バックル本体１に装着キャビティ１１が形成され、前記バックル本体１に挿入口１１１が設けられ、当該挿入口１１１は前記装着キャビティ１１と連通する。
【００１９】
前記留め具２の一端に接続部２１が設けられ、前記接続部２１は前記挿入口１１１を介して前記装着キャビティ１１内に挿入する。
【００２０】
前記第１の弾性部材３は、前記装着キャビティ１１の前記挿入口１１１と正対する下壁面にストッピングされている。具体的には、前記第１の弾性部材３は、スプリングであって、その下端は前記装着キャビティ１１の前記挿入口１１１と正対する下壁面に固定される。前記接続部２１が前記装着キャビティ１１に挿入されると、前記第１の弾性部材３の他端は前記接続部２１に当接される。
【００２１】
前記ボタンアセンブリ４，４’は、前記接続部２１を係止して前記留め具２を前記装着キャビティ１１内にロックするか、又は前記ボタンアセンブリ４，４’を押圧して前記接続部２１を解放し、前記第１の弾性部材３は、前記接続部２１を前記装着キャビティ１１から弾き出し、前記留め具２を解放する。当該プルバックルは、ボタンアセンブリ４，４’を押すと、ロックが解除され、第１の弾性部材３が留め具２をバックル本体１から弾き出し、使いやすいという利点がある。
【００２２】
本考案の他の実施例では、図１〜図６に示すように、当該プルバックルの前記ボタンアセンブリ４，４’は、ボタン４１，４１’と、ストッパ４２，４２’と、第２の弾性部材４３，４３’を含む。前記第２の弾性部材４３，４３’は、前記装着キャビティ１１の前記挿入口１１１側にある側壁面に限定されている。具体的には、前記第２の弾性部材４３，４３’はスプリングである。前記ストッパ４２，４２’は、前記第２の弾性部材４３，４３’に当接して前記装着キャビティ１１内に回転可能に設けられる。前記ボタン４１，４１’は前記バックル本体１に回転可能に限定して前記ストッパ４２，４２’を駆動して回転させる。前記接続部２１が前記装着キャビティ１１に挿入されると、前記接続部２１は前記第１の弾性部材３を押出して圧縮させ、前記第２の弾性部材４３，４３’は前記ストッパ４２，４２’を駆動して前記接続部２１の側部に係合することで、前記留め具２を前記バックル本体１に固定的に接続させる。前記ボタン４１，４１’を押すと、前記ボタン４１，４１’が前記ストッパ４２，４２’を駆動して回転させて前記接続部２１の側部から分離させ、前記第１の弾性部材３がリセットして前記接続部２１を前記装着キャビティ１１から弾き出し、前記留め具２を前記バックル本体１から分離させる。当該プルバックルは、ボタン４１，４１’を押すと、ロックが解除され、第１の弾性部材３が留め具２をバックル本体１から弾き出し、使いやすいという利点がある。
【００２３】
本考案の他の実施例では、図１〜図５に示すように、当該プルバックルの前記装着キャビティ１１内に回転軸４２４，４２４’が設けられ、前記ストッパ４２，４２’は当該回転軸４２４，４２４’に回転可能に設けられ、前記ストッパ４２，４２’は、受力部４２２，４２２’と、係合部４２３，４２３’を含む。具体的には、受力部４２２，４２２’と係合部４２３，４２３’の接続関係は、一体成形でもよく、前記ストッパ４２，４２’は、湾曲状の一体成形部材である。前記受力部４２２，４２２’は前記ボタン４１，４１’に当接し、前記係合部４２３，４２３’は前記第２の弾性部材４３，４３’に係合する。
【００２４】
具体的には、前記回転軸４２４，４２４’は、前記受力部４２２，４２２’と前記係合部４２３，４２３’の接続箇所に貫通して固定され、前記回転軸４２４，４２４’の両端は、前記装着キャビティ１１の天井壁と底壁に回転可能に接続される。
【００２５】
本考案の他の実施例では、図４に示すように、当該プルバックルの前記係合部４２３，４２３’の外側面に第１のストッパ溝４２３１，４２３１’が設けられる。前記装着キャビティ１１の側壁面に第２のストッパ溝１１３，１１３’が設けられる。前記第２の弾性部材４３，４３’の両端は前記第１のストッパ溝４２３１，４２３１’と前記第２のストッパ溝１１３，１１３’内にそれぞれストッピングされる。具体的には、前記第１のストッパ溝４２３１，４２３１’と前記第２のストッパ溝１１３，１１３’は、前記第２の弾性部材４３，４３’の両端に固定とストッパとして機能する。
【００２６】
本考案の他の実施例では、図４〜図６に示すように、当該プルバックルの前記接続部２１の外周面に係合凹溝２１１が設けられる。具体的には、係合凹溝２１１は、前記接続部２１の外周面に設けられた環状の凹溝である。前記接続部２１が前記装着キャビティ１１に挿入されると、前記第２の弾性部材４３，４３’は、前記係合部４２３，４２３’を駆動して前記係合凹溝２１１に挿入する。前記ボタン４１，４１’を押すと、前記ボタン４１，４１’が前記受力部４２２，４２２’を介して前記係合部４２３，４２３’を駆動して回転させて前記係合凹溝２１１から離れる。
【００２７】
本考案の他の実施例では、図１〜図６に示すように、当該プルバックルの前記ボタンアセンブリ４，４’の数は２つである。具体的には、前記ボタンアセンブリ４，４’は、構造が同じである。２つの前記ボタン４１，４１’を同時に押すと、２つの前記ボタン４１，４１’は２つの前記ストッパ４２，４２’を駆動して回転させ、２つの前記ストッパ４２，４２’はいずれも前記接続部２１と分離し、前記第１の弾性部材３は前記接続部２１を駆動して前記装着キャビティ１１から弾き出し、前記留め具２を前記バックル本体１から分離させる。当該プルバックルは、２つのボタン４１，４１’を同時に押すだけでロックが解除され、誤操作によるロック解除の現象を低減することができる。
【００２８】
当該プルバックルは誤操作防止の役割を果たすと共に、操作性も向上する。２つの前記ボタン４１，４１’は、前記バックル本体１の対向する両側にそれぞれ可動に限定され、２つの前記ボタン４１，４１’を片手で同時に押すことによりロックが解除され、操作しやすい。
【００２９】
本考案の他の実施例では、図６と図７に示すように、当該プルバックルの前記接続部２１の末端にテーパ面２１２が設けられ、前記ストッパ４２の頂面に斜面４２５が設けられる。前記接続部２１が前記装着キャビティ１１に挿入されると、前記テーパ面２１２は、前記斜面４２５と嵌合することで、前記接続部２１をよりスムーズに挿入することができ、抵抗が小さくなる。
【００３０】
本考案の他の実施例では、図８と図９に示すように、当該プルバックルの前記バックル本体１に前記ボタン４１，４１’に対応するボタン孔１２，１２’が設けられる。前記ボタン４１，４１’は前記ボタン孔１２，１２’から突出する。前記ボタン４１の周縁にガイド突起４１１が設けられる。具体的には、前記ガイド突起４１１と前記ボタン４１の接続関係は、一体成形でもよい。前記装着キャビティ１１の内壁面にガイド溝１１４が固設される。前記ガイド突起４１１は、前記ガイド溝１１４内に案内されて前記装着キャビティ１１の内壁面にストッピングされる。具体的には、前記ガイド突起４１１は、固定とストッパとして機能する。前記ボタン４１は前記ガイド溝１１４の方向に沿って摺動して前記バックル本体１に限定される。
【００３１】
本考案の他の実施例では、図１、図８と図９に示すように、当該プルバックルの前記装着キャビティ１１の上部にストッパ板１１２，１１２’が２枚設けられる。２枚の前記ストッパ板１１２，１１２’は前記挿入口１１１の両側にそれぞれ位置する。２つの前記ストッパ４２，４２’の上面にストッパ切り欠き４２１，４２１’が設けられる。前記ストッパ切り欠き４２１，４２１’は前記ストッパ板１１２，１１２’と嵌合する。具体的には、前記留め具２が前記バックル本体１から分離されると、前記第２の弾性部材４３、４３’は、２つの前記ストッパ４２，４２’をそれぞれ駆動して前記挿入口１１１の中心に近づき、前記ストッパ板１１２，１１２’は前記ストッパ切り欠き４２１，４２１’の側壁面に当接することで、２つの前記ストッパ４２，４２’を前記挿入口１１１の両側にそれぞれストッピングさせ、前記接続部２１に再度挿入することに利便性を提供する。
【００３２】
本考案の他の実施例では、図１と図２に示すように、当該プルバックルの前記装着キャビティ１１内に仕切板１１５が設けられる。具体的には、前記仕切板１１５と前記バックル本体１の接続関係は、一体成形でもよい。前記仕切板１１５により前記装着キャビティ１１を上部キャビティ１１６と下部キャビティ１１７に分割する。前記挿入口１１１は前記上部キャビティ１１６の天井壁に設けられる。前記接続部２１は前記挿入口１１１を介して前記上部キャビティ１１６内に突出する。前記第１の弾性部材３の底部は前記下部キャビティ１１７の底壁に固定される。前記仕切板１１５に貫通孔１１５１が設けられ、前記貫通孔１１５１と前記挿入口１１１が同軸に設けられる。前記第１の弾性部材３の先端部は前記貫通孔１１５１を貫通して前記上部キャビティ１１６に突出する。前記貫通孔１１５１は前記第１の弾性部材３に対してストッパとして機能し、前記第１の弾性部材３の揺動を防止する。
【００３３】
本考案の他の実施例では、図８と図９に示すように、当該プルバックルの前記バックル本体１は、第１の筐体１３と第２の筐体１４を含み、前記第１の筐体１３に第１の溝体１３１と第１の溝体仕切板１３３が設けられ、前記第１の溝体１３１は第１の溝体仕切板１３３により第１の上部溝体１３１１と第１の下部溝体１３１２に分割され、第１の上部溝体１３１１の頂壁と底壁に回転軸４２４の両端が取り付けられるための第１の回転軸孔１３１１１，１３１１１’がそれぞれ設けられる。
【００３４】
図８と図９に示すように、前記第１の溝体１３１の周縁に嵌合リブ１３２が設けられる。前記第２の筐体１４に第２の溝体１４１と第２の溝体仕切板１４３が設けられ、前記第２の溝体１４１は、第２の溝体仕切板１４３により第２の上部溝体１４１１と第２の下部溝体１４１２に分割される。第２の上部溝体１４１１の頂壁と底壁に回転軸４２４’の両端が取り付けられるための第１の回転軸孔１４１１１，１４１１１’がそれぞれ設けられる。
【００３５】
図８と図９に示すように、前記第２の溝体１４１の周縁に嵌合凹溝１４２が設けられる。前記第１の筐体１３と前記第２の筐体１４が螺着され、前記嵌合リブ１３２が前記嵌合凹溝１４２に嵌合されることにより、装着と位置決めが正確で、着脱しやすい利点がある。
【００３６】
具体的には、前記第１の筐体１３と前記第２の筐体１４との組立後、前記第１の溝体仕切板１３３と前記第２の溝体仕切板１４３は前記仕切板１１５を構成する。前記第１の上部溝体１３１１と前記第２の上部溝体１４１１は前記上部キャビティ１１６を形成する。前記第１の下部溝体１３１２と前記第２の下部溝体１４１２は前記下部キャビティ１１７を形成する。
【００３７】
上記の説明は、本考案の好ましい実施例に過ぎず、本考案を限定するものではなく、本考案の精神と原理内で行われるあらゆる修正、置換及び改良などは、いずれも本考案の保護範囲内に属する。
【図１】
0003226131.tif 000003
【図２】
0003226131.tif 000004
【図３】
0003226131.tif 000005
【図４】
0003226131.tif 000006
【図５】
0003226131.tif 000007
【図６】
0003226131.tif 000008
【図７】
0003226131.tif 000009
【図８】
0003226131.tif 000010
【図９】
0003226131.tif 000011